(57)【要約】【課題】本発明は、セルラ式移動無線通信システムでアクセス権を制御する方法に関する。【解決手段】この方法は、前記システムのネットワークコアから無線アクセスネットワークにローミング契約データを転送することに存し、前記ローミング契約データは、ネットワークコアと無線アクセスネットワークの間のインターフェースへの無線アクセスのサポートの管理とは独立に転送される。【選択図】図３
2010074844.tif 000002
【特許請求の範囲】
【請求項１】
セルラ式移動無線システムにおけるアクセス権を制御する方法であって、前記システムのコアネットワークから無線アクセスネットワークへのローミング契約情報の転送を含んでおり、前記ローミング契約情報が、コアネットワークと無線アクセスネットワークとの間のインターフェースにおける無線アクセスベアラの管理とは独立に転送される方法。
【請求項２】
前記のように転送されるローミング契約情報が、国際移動加入者識別（ＩＭＳＩ）番号のサブセットによって識別される公衆陸上移動網（ＰＬＭＮ）に共通のものである請求項１に記載の方法。
【請求項３】
前記サブシステムが移動国コード（ＭＣＣ）フィールドおよび移動網コード（ＭＮＣ）フィールドを含む請求項２に記載の方法。
【請求項４】
前記ローミング契約に従って、訪問先公衆陸上移動網（ＶＰＬＭＮ）へのアクセスがＰＬＭＮ全体について許可され、あるいは前記ＶＰＬＭＮの一定の区域に限られる請求項１から３のいずれか一項に記載の方法。
【請求項５】
前記ＶＰＬＭＮの前記区域が、加入先公衆陸上移動網（ＨＰＬＭＮ）がそれ自体で無線サービスを提供しない区域である請求項４に記載の方法。
【請求項６】
転送される経路指定契約情報が各所在地区域（ＬＡ）ごとに指示される請求項１から５のいずれか一項に記載の方法。
【請求項７】
前記ローミング契約情報が、コアネットワークでの前記情報の変更の場合に転送される請求項１から６のいずれか一項に記載の方法。
【請求項８】
コアネットワークが、事前に前記ローミング契約情報を用いて構成される請求項１から７のいずれか一項に記載の方法。
【請求項９】
前記構成が運用保守（Ｏ＆Ｍ）手段によって実施される請求項８に記載の方法。
【請求項１０】
前記ローミング契約情報が、コアネットワークで在圏所在地登録（ＶＬＲ）型のデータベースに記憶される請求項１から９のいずれか一項に記載の方法。
【請求項１１】
請求項１から１０のいずれか一項に記載の方法を実行するように構成された手段を含む無線アクセスネットワーク機器。
【請求項１２】
無線ネットワーク制御装置（ＲＮＣ）の形を取る請求項１１に記載の無線アクセスネットワーク機器。
【請求項１３】
請求項１から１０のいずれか一項に記載の方法を実行するように構成された手段を含むコアネットワーク機器。
【請求項１４】
前記ローミング契約情報が在圏所在地登録（ＶＬＲ）に記憶され、前記コアネットワーク機器が、在圏所在地登録（ＶＬＲ）に接続された移動交換局（ＭＳＣ）型機器の形を取る請求項１３に記載のコアネットワーク機器。
【請求項１５】
前記ローミング契約情報が在圏所在地登録（ＶＬＲ）に記憶され、前記コアネットワーク機器が、在圏所在地登録（ＶＬＲ）を組み込んだサービングＧＰＲＳサポートノード（ＳＧＳＮ）型機器の形を取る請求項１４に記載のコアネットワーク機器。
【請求項１６】
請求項１から１０のいずれか一項に記載の方法を実行するように構成された手段を含む移動無線システム。
【発明の詳細な説明】
【技術分野】
【０００１】
本発明は、一般に、移動無線システムに関する。
【背景技術】
【０００２】
本発明は、具体的には、移動体通信のためのグローバルシステム／ＧＳＭ／ＥＤＧＥ無線アクセスネットワーク（ＧＳＭ／ＧＥＲＡＮ）型のシステムといった第２世代システム、あるいは、ユニバーサル移動体通信システム（ＵＭＴＳ）型のシステムといった第３世代システムなど、任意の移動無線システムに適用され得る。原則として、前述のシステムには、規格が適用される。詳細については、対応する標準化団体によって公開された対応する規格を参照することができる。
【０００３】
そうしたシステムのアーキテクチャの概略を図１に示す。一般に、この種のシステムは、原則的に、
・  無線アクセスネットワーク（ＲＡＮ）１、および
・  コアネットワーク（ＣＮ）４
を含む。
【０００４】
無線アクセスネットワークは、基地局２と基地局制御装置３とで構成される。それは、無線インターフェース６を介して移動端末５とやりとりし、インターフェース７を介してコアネットワーク４とやりとりする。無線アクセスネットワーク内では、基地局は、インターフェース８を介して基地局制御装置とやりとりする。無線アクセスネットワークは、原則的に、ネットワークと移動端末との間の無線インターフェースを介した伝送、この無線インターフェースを介した伝送のためのリソース管理、および無線アクセスネットワーク内での移動端末の移動性管理を行う。
【０００５】
コアネットワークは、インターフェース７を介してと無線アクセスネットワークとやりとりし、具体的に図示しない外部ネットワークともやりとりする。コアネットワークは、原則的に、移動端末との間で呼を経路指定し管理すると共に、所在地区域（ＬＡ）と経路指定区域（ＲＡ）との間で移動端末の移動性（モビリティ）を管理する。
【０００６】
ＧＳＭ／ＧＥＲＡＮシステムでは、無線アクセスネットワークは基地局サブシステム（ＢＳＳ）と呼ばれ、基地局は無線基地局（ＢＴＳ）と呼ばれ、移動端末は移動局（ＭＳ）と呼ばれる。コアネットワークは、原則的に、具体的には、移動交換局（ＭＳＣ）または第２世代移動交換局（２Ｇ−ＭＳＣ）型のエンティティやサービングＧＰＲＳ（汎用パケット無線サービス）サポートノード（ＳＧＳＮ）型のエンティティなどのネットワークエンティティまたはノードを含む。無線インターフェースは、Ｕｍインターフェースと呼ばれる。インターフェース７は、ＭＳＣへのＡインターフェースおよびＳＧＳＮへのＧｂインターフェースと呼ばれる。インターフェース８はＡｂｉｓインターフェースと呼ばれる。ＧＥＲＡＮ型のシステムでは、Ｉｕｒｇインターフェースと呼ばれる、ＢＳＣ間のインターフェース９もある。ＧＥＲＡＮ型システムでのインターフェース７は、ＧＳＭで使用されるものと同一のＡおよびＧｂインターフェース、および／またはＵＭＴＳで使用されるものと同一のＩｕインターフェースに対応する。
【０００７】
ＵＭＴＳ型システムでは、無線アクセスネットワークはＵＭＴＳ地上無線アクセスネットワーク（ＵＴＲＡＮ）と呼ばれ、基地局はノードＢと呼ばれ、基地局制御装置は無線ネットワーク制御装置（ＲＮＣ）と呼ばれ、移動端末はユーザ機器（ＵＥ）と呼ばれる。無線インターフェースはＵｕインターフェースと呼ばれ、インターフェース７はＩｕインターフェースと呼ばれ、インターフェース８はＩｕｂインターフェースと呼ばれ、無線ネットワーク制御装置間には、Ｉｕｒインターフェースと呼ばれるインターフェース９もある。コアネットワークも、原則的に、具体的には、移動交換局（ＭＳＣ）または第３世代移動交換局（３Ｇ−ＭＳＣ）型のエンティティやサービングＧＰＲＳ（汎用パケット無線サービス）サポートノードＳＧＳＮ型のエンティティなどのネットワークエンティティまたはノードを含む。
【０００８】
さらに、ＵＭＴＳなどのシステムは、ソフトハンドオーバ（マクロダイバーシチ伝送）技術を使用し、それによってユーザ機器は同時に複数の基地局に接続され、すなわち、同時に複数のサービスセル（アクティブセルとも呼ばれる）によってサービスを提供される。ユーザ機器が接続される様々なノードＢは、同じ無線ネットワーク制御装置によって制御されてもされなくてもよい。それらが異なる無線ネットワーク制御装置によって制御される場合には、そのうちの１つでサービス無線ネットワーク制御装置（ＳＲＮＣ）と呼ばれるものが関連する呼の制御機能、具体的にはサービスセルの付加または除去機能を有する。ＳＲＮＣによって制御されない、ユーザ機器に接続されたノードＢは、Ｉｕｒインターフェースを介して、ドリフト無線ネットワーク制御装置（ＤＲＮＣ）と呼ばれるそれらを制御する無線ネットワーク制御装置によってＳＲＮＣとやりとりする。ソフトハンドオーバ技術とは独立に、移動端末が、Ｉｕｒインターフェースを介したハードハンドオーバに続いて、ＳＲＮＣに制御されないノードＢに接続されることもあり得る。ＧＥＲＡＮの場合には、これはＩｕｒｇインターフェースを介したハードハンドオーバの後でも可能であり、その場合、ＵＭＴＳと同様に、サービスＢＳＣおよびドリフトＢＳＣがあり得る。
【０００９】
移動端末は、周囲のセルに関連付けられたビーコンチャネルを絶えず、または要求に応じて受信し、ビーコンチャネル上で電波測定を行う。それらの測定を基に、最適なサービスセルを選択するために考慮される機構に従って、端末自体または無線アクセスネットワーク（その場合は端末が測定結果をネットワークに報告する）によって最適なセルが選択され得る。
【００１０】
端末主導のセル選択または再選択の機構では、端末は、ビーコンチャネル上で同報送信される情報から、新しく再選択されたセル（目標セル）が現在のサービスセルと同じ所在地区域に属するかどうか区別することができる。同じ所在地区域に属する場合には、新しいセルが新しいサービスセルになる。そうでない場合には、端末は、ユーザの新しいセルへのアクセス権を検証させるために、所在地更新手順を使用して、事前にそれをネットワークに知らせる。ネットワークからの応答が肯定的である場合には、ユーザは、新しい所在地区域に登録され、新しいセルが新しいサービスセルになる。
【００１１】
これらのシステムおよび／またはその提供サービスの地理的適用範囲を拡大するために、一般に、普通は様々な運営者と関連付けられた複数のネットワークまたはＰＬＭＮが提供される。関連する運営者間では、国内および／または国際レベルでローミング契約が締結され得る。ユーザが加入するネットワークを示すのに「加入先（ホーム）ＰＬＭＮ」（ＨＰＬＭＮ）という表現が使用され、その適用範囲内にユーザが位置し、ユーザのＨＰＬＭＮがローミング契約を結んでいる、ＨＰＬＭＮとは異なるネットワークを示すのに「訪問先（ビジテッド）ＰＬＭＮ」（ＶＰＬＭＮ）という用語が使用される。
【００１２】
ローミング契約は、ＶＰＬＭＮへのアクセスがそのＶＰＬＭＮ全体について許可される（その場合は、「国際ローミング」という表現が使用される）ようにも、そのＶＰＬＭＮの一定の区域に制限する（その場合は、「国内ローミング」という表現が使用される）ようにもすることができる。例えば、そうした区域は、ＨＰＬＭＮがそれ自体で無線サービスを提供しない区域に対応し得る。これは、具体的には、極めて低いトラフィック密度を有する地理的区域、または、新世代インフラストラクチャ、具体的には第３世代インフラストラクチャなどを展開する段階に適用され得る。
【００１３】
アクセス権は、普通、国際移動加入者識別（ＩＭＳＩ）番号などのユーザ識別データに基づいて制御される。図２に示すように、この種の番号は、国を識別する移動国コード（ＭＣＣ）フィールド、その国内のＰＬＮＭを識別する移動網コード（ＭＮＣ）フィールド、およびそのＰＬＭＮ内のユーザを識別する移動加入者識別番号（ＭＳＩＮ）フィールドを含む。
【００１４】
アクセス権情報は以下の２種類からなる。
・  第１の種類の情報は、本明細書では経路指定契約情報（ルーティング・アグリーメント・インフォメーション）と呼ばれる、ＩＭＳＩ番号のＭＣＣフィールドおよびＭＮＣフィールドから識別され得る適用可能な国内および国際経路指定契約に関連するものであり、
・  第２の種類の情報は、ＩＭＳＩ番号のＭＳＩＮフィールドから識別され得るユーザの加入に関連するものである。
【００１５】
本発明は、より詳細には、ローミング契約に基づいてアクセス権を制御することに関する。このために必要とされるローミング契約情報は、一般に、端末や無線アクセスネットワークでは利用できず、一般には、コアネットワークで提供される、例えば、在圏所在地登録（ビジター・ロケーション・レジスタ、ＶＬＲ）型の経路指定契約データベースに集中され、このデータの管理および更新を容易にする。この種のデータベースは、運用保守（Ｏ＆Ｍ）手段によって対応する情報と共に構成され得る。ＶＬＲはＭＳＣ型のエンティティにリンクすることも、ＳＧＳＮ型のエンティティに統合することもできる。
【００１６】
前述のように、端末主導でのセル選択または再選択の機構では、目標セルを選択する際にコアネットワークが関与する。したがって、ローミング契約に基づく新しい目標セルへのアクセス権の制御はまったく問題を引き起こさない。というのは、経路指定契約情報が（前述のように）コアネットワークで利用可能だからである。
【００１７】
しかしながら、目標セルを選択する際にコアネットワークが関与しない機構、すなわち、無線アクセスネットワークによって制御される目標セル選択機構、具体的には、ハンドオーバ（セル間転送）機構、セル変更順序機構、および指定再試行機構を伴う場合には問題が生じる。
【００１８】
この問題に対する２種類の解決法が提案されている。
【００１９】
第１の種類の解決法では、無線アクセスネットワークは、運用保守（Ｏ＆Ｍ）手段によって、ローミング契約情報を用いて構成され得る。出願人は、その種の解決法が最適な解決法ではないと認めている。というのは、具体的には、その目的が、コアネットワークが関与していない目標セル選択機構でのアクセス権制御を、コアネットワークが関与している目標セル選択機構でのアクセス権制御と、特に両方で同じ所在地区域（ロケーション・エリア、ＬＡ）概念を使用して整合させることである場合には、それが、大量の情報の無線アクセスネットワークへの格納をもたらし、無線アクセスネットワークとコアネットワークとで実施される別々のＯ＆Ｍ動作でのメモリ調整を必然化するからである。
【００２０】
第２の種類の解決法では、コアネットワークは、具体的には、ＵＭＴＳやＧＳＭ／ＧＥＲＡＮなどのシステムで無線アクセス伝送（ＲＡＢ）サービスをセットアップまたは再配置する段階で、ローミング契約情報を無線アクセスネットワークに伝達することが可能なはずである。出願人は、この種の解決法にいくつかの欠点があることを認めている。それは、コアネットワークと無線アクセスネットワークの間のインターフェース（そのインターフェースはＵＭＴＳではＩｕインターフェースである）を介した比較的長いメッセージの交換をもたらし、このインターフェースを介した伝送に使用可能なリソースの比較的大量の消費につながる。また、同じ訪問先ＰＬＭＮの適用範囲内の大部分の移動端末が同じＭＣＣフィールドおよびＭＮＣフィールドを持つために、同じ情報が無益に何度も転送される。
【００２１】
さらに、やはり出願人が認めるところでは、第２のタイプの解決法の別の欠点は、特に、ソフトハンドオーバ（マクロダイバーシチ伝送）を使用するＵＭＴＳなどのシステムの場合に、ローカルＶＬＲを、それが制御しない区域でのアクセス権を用いて構成する必要があることであり、ローカルＶＬＲをそのＰＬＭＮ全体（および、おそらく、隣接するＰＬＭＮの隣接するセル）でのアクセス権を用いて構成する必要があることである。事実、ソフトハンドオーバは、ＳＲＮＣが、それ自体は制御しないが、ＤＲＮＣによって制御されるセルに関するアクセス権情報を持つことを必要とする。これらの欠点は、ＶＬＲで必要とされるメモリ量、各ＶＬＲで実施される別々のＯ＆Ｍ動作の手動調整の必要、およびそれがカバーする区域のためだけのそうした情報を用いてすでに構成されたＶＬＲを変更なしで使用できないという点で、比較的高いコストを含む。
【発明の概要】
【発明が解決しようとする課題】
【００２２】
本発明の目的は、前述の欠点の一部または全部を回避することである。本発明のより一般的な目的は、そうしたシステムでのアクセス権制御を最適化することである。
【課題を解決するための手段】
【００２３】
本発明は、第１に、セルラ式移動無線システムでの、前記システムのコアネットワークから無線アクセスネットワークへのローミング契約情報の転送を含むアクセス権制御の方法に存し、この方法では、前記ローミング契約情報は、コアネットワークと無線アクセスネットワークの間のインターフェースにおける無線アクセスベアラの管理とは独立に転送される。
【００２４】
別の特徴によれば、このように転送されるローミング契約情報は、国際移動加入者識別番号のサブセットによって識別される公衆陸上移動網（パブリック・ランド・モバイル・ネットワーク）に共通のものである。
【００２５】
別の特徴によれば、前記サブシステムは、移動国コード（ＭＣＣ）フィールドおよび／または移動網コード（ＭＮＣ）フィールドを含む。
【００２６】
別の特徴によれば、前記ローミング契約情報は、無線アクセスネットワークの要求により送信される。
【００２７】
別の特徴によれば、前記ローミング契約情報は、要求に応じて送信される。
【００２８】
別の特徴によれば、前記ローミング契約情報は、定期的に送信される。
【００２９】
別の特徴によれば、前記ローミング契約情報は、更新（アップデート）の場合に送信される。
【００３０】
別の特徴によれば、コアネットワークは、事前に前記ローミング契約情報を用いて構成される。
【００３１】
別の特徴によれば、前記構成は、運用保守（Ｏ＆Ｍ）手段によって実施される。
【００３２】
別の特徴によれば、前記ローミング契約情報は、コアネットワークで在圏所在地登録（ＶＬＲ）型データベースに記憶される。
【００３３】
また、本発明は、セルラ式移動無線システムでアクセス権を制御する方法に存し、この方法では、第１の無線アクセスネットワーク機器によるローミング契約に基づくアクセス権制御のために、前記第１の無線アクセスネットワーク機器は、少なくとも１つの第２の無線アクセスネットワーク機器から、前記第１の無線アクセスネットワーク機器によってカバーされない少なくとも１つの区域での制御情報を得る。
【００３４】
別の特徴によれば、前記第１の無線アクセスネットワーク機器は、それを制御するコアネットワーク機器から、前記第１の無線アクセスネットワーク機器によってカバーされる少なくとも１つの区域での制御情報を得る。
【００３５】
別の特徴によれば、前記第２の無線アクセスネットワーク機器は、それを制御するコアネットワーク機器から、前記第２の無線アクセスネットワーク機器によってカバーされる少なくとも１つの区域での制御情報を得る。
【００３６】
別の特徴によれば、無線アクセスネットワーク機器によってそれを制御するコアネットワーク機器から得られた制御情報は、前記無線アクセスネットワーク機器が、前記無線アクセスネットワーク機器によってカバーされる少なくとも１つの区域でのローミング契約に基づいてアクセスを制御できるようにするローミング契約情報を含む。
【００３７】
別の特徴によれば、前記ローミング契約情報は、本発明の第１の態様による方法を使用して、無線アクセスネットワーク機器にそれを制御するコアネットワーク機器によって転送される。
【００３８】
別の特徴によれば、前記第１の無線アクセスネットワーク機器によって前記第２の無線アクセスネットワーク機器から得られた前記制御情報は、前記第１の無線アクセスネットワーク機器が、前記第１の無線アクセスネットワーク機器によってカバーされない少なくとも１つの区域でのローミング契約に基づいてアクセスを制御できるようにするローミング契約情報を含む。
【００３９】
別の特徴によれば、前記第１の無線アクセスネットワーク機器によって前記第２の無線アクセスネットワーク機器から得られた前記制御情報は、第１の無線アクセスネットワーク機器によってカバーされない少なくとも１つの区域での第２の無線アクセスネットワーク機器によるローミング契約の制御を表す情報を含む。
【００４０】
別の特徴によれば、前記第１の無線アクセスネットワーク機器は、前記無線アクセスネットワーク機器を接続するインターフェースを介して前記第２の無線アクセスネットワーク機器から制御情報を得る。
【００４１】
別の特徴によれば、前記第１の無線アクセスネットワーク機器は、コアネットワークを介して前記第２の無線アクセスネットワーク機器から制御情報を得る。
【００４２】
別の特徴によれば、前記第１および第２の無線アクセスネットワーク機器は、同じネットワークの一部である。
【００４３】
別の特徴によれば、前記第１および第２の無線アクセスネットワーク機器は、隣接するネットワークの一部である。
【００４４】
別の特徴によれば、前記第２の無線アクセスネットワーク機器によるアクセス制御を表す前記情報は、再配置またはハンドオーバ手順の状況で前記第１の無線アクセスネットワーク機器によって得られる。
【００４５】
また、本発明は、前記方法のどちらかまたは両方を実行するように構成された手段を含む無線アクセスネットワーク機器に存する。
【００４６】
具体的には、前記無線アクセスネットワーク機器は、無線ネットワーク制御装置（ＲＮＣ）の形を取る。
【００４７】
本発明は、さらに、前記方法のどちらかまたは両方を実行するように構成された手段を含むコアネットワーク機器に存する。
【００４８】
具体的には、前記ローミング契約情報は在圏所在地登録（ＶＬＲ）に記憶され、前記コアネットワーク機器は、在圏所在地登録（ＶＬＲ）に接続された移動交換局（ＭＳＣ）型機器、または在圏所在地登録（ＶＬＲ）を組み込んだサービングＧＰＲＳサポートノード（ＳＧＳＮ）型機器の形を取る。
【００４９】
本発明は、さらに、前述の種類の方法を実行するように構成された手段を含む移動無線システムに存する。
【００５０】
本発明のその他の目的および特徴は、添付の図面を参照して与えられる、以下の本発明の一実施形態の詳細な説明を読めば明らかになるであろう。
【図面の簡単な説明】
【００５１】
【図１】移動無線システムの一般的アーキテクチャの概略を示す図である。
【図２】ＩＭＳＩ番号の構造の概略を示す図である。
【図３】本発明による方法を実行するシステムの一例を示す図である。
【発明を実施するための形態】
【００５２】
本発明の一態様は、具体的にはローミング契約情報などの半静止情報に対応するアクセス権情報が、コアネットワークと無線アクセスネットワークの間のインターフェースにおける無線アクセスベアラの管理とは独立に転送されるべきである、すなわち、この情報が個々のユーザにリンクされるべきでないと提案する。無線アクセスベアラ（ＲＡＢ）は、移動端末とコアネットワークの間で所与のサービスでのユーザデータを転送し、信号を送信するための１組のリソースである。コアネットワークと無線アクセスネットワークの間のＩｕインターフェースで交換される信号送信は、具体的には、（特に、無線アクセスベアラをセットアップまたは再配置する段階での）無線アクセスベアラ管理に関連する信号送信を含む。
【００５３】
具体的には、本発明は、転送されたローミング契約情報が、国際移動加入者識別（ＩＭＳＩ）番号のサブセット、具体的には、移動国コード（ＭＣＣ）フィールドおよび／または移動網コード（ＭＮＣ）フィールドを含むサブセットに共通のものとされるべきであると提案する。
【００５４】
したがって、そうした情報をコアネットワークから無線アクセスネットワークに転送するのに必要とされるデータ量、およびこの情報をＶＬＲに記憶するのに必要とされるメモリ空間は、大幅に削減され得る。
【００５５】
無線アクセスネットワーク機器に転送される前記経路指定契約情報は、その機器によってカバーされる区域（例えば、所在地区域（ＬＡ））ごとに、それが、そのＩＭＳＩメンバの同じサブセットによって識別される１組の加入者に許可されているか、それとも禁止されているか示すことができる。
【００５６】
ローミング契約情報は、無線アクセスネットワークの要求により転送され得る。この情報は、定期的に送信されても、更新の場合にだけ送信されてもよい。
【００５７】
例えば、このように転送される情報は、コアネットワークまたは隣接するＲＮＣの新しいノードを指定した後で、前記ノードのうちの１つとの物理接続または仮想接続をセットアップし直した後で、あるいはコアネットワークまたは隣接するＲＮＣでローミング契約が変更される都度送信され得る。
【００５８】
本発明の別の態様は、（具体的にはＲＮＣ型エンティティなどの）無線アクセスネットワークエンティティが、それがカバーする区域でのこのローミング契約情報を、（具体的にはＭＳＣ／ＶＬＲまたはＳＧＳＮ型のエンティティなどの）それを制御するコアネットワークエンティティから得るべきであり、それがカバーしない区域でのそうしたローミング契約情報を、他の無線アクセスネットワークエンティティ（それら他の無線アクセスネットワークエンティティ自体はこの情報を、それらを制御するコアネットワークエンティティから得る）から得るべきであると提案する。このように、ＶＬＲに記憶される情報量が大幅に削減され得る。というのは、ＶＬＲを、関連するＰＬＭＮによってカバーされる全区域ではなく、それがカバーする区域での経路指定契約情報を用いて構成するだけで十分であるからである。言い換えると、すでにそうした情報を用いて構成されたＶＬＲは、それをまったく変更することなく、目標セルへのアクセスを制御するためのこの種の機構に使用され得る。
【００５９】
このように無線アクセスネットワーク機器に転送されたローミング契約情報は、任意選択で、関連するＰＬＮＭがローミング契約を結んでいる少なくとも１つの隣接するＰＬＭＮに属する隣接するセルに関連するローミング契約情報をさらに含む。
【００６０】
隣接するＰＬＭＮに具体的に属する隣接する無線アクセスネットワーク機器とのＩｕｒインターフェースがなく、ＵＭＴＳの場合の再配置（サービスＲＮＣの変更）手順またはＧＳＭ／ＧＥＲＡＮまたはＵＭＴＳ−ＧＳＭ網間接続の場合のハンドオーバ手順を用いる機構の場合での別の選択肢が、ＩＭＳＩ番号に基づいて目標無線アクセスネットワーク機器によってチェックされたアクセス権を持つことである。
【００６１】
一般に、また様々な可能性を共通定義にまとめると、本発明の別の態様は、第１の無線アクセスネットワーク機器によるローミング契約に基づくアクセス権制御のために、前記第１の無線アクセスネットワーク機器は、少なくとも１つの第２の無線アクセスネットワーク機器から、前記第１の無線アクセスネットワーク機器によってカバーされない少なくとも１つの区域での制御情報を得る。
【００６２】
前記第１の無線アクセスネットワーク機器は、有利には、それを制御するコアネットワーク機器から、前記第１の無線アクセスネットワーク機器によってカバーされる少なくとも１つの区域での制御情報を得る。
【００６３】
前記第２の無線アクセスネットワーク機器は、有利には、それを制御するコアネットワーク機器から、前記第２の無線アクセスネットワーク機器によってカバーされる少なくとも１つの区域での制御情報を得る。
【００６４】
具体的には、無線アクセスネットワーク機器によってそれを制御するコアネットワーク機器から得られた制御情報は、前記無線アクセスネットワーク機器が、前記無線アクセスネットワーク機器によってカバーされる少なくとも１つの区域でのローミング契約に基づいてアクセスを制御できるようにするローミング契約情報を含む。
【００６５】
前記ローミング契約情報は、有利には、本発明の第１の態様による方法を使用して、無線アクセスネットワーク機器にそれを制御するコアネットワーク機器によって転送される。
【００６６】
１つの可能な方法は、前記第２の無線アクセスネットワーク機器から前記第１の無線アクセスネットワーク機器によって得られた前記制御情報が、前記第１の無線アクセス機器が、前記第１の無線アクセスネットワーク機器によってカバーされない少なくとも１つの区域でのローミング契約に基づいてアクセスを制御できるようにするローミング契約情報を含むことである。
【００６７】
別の可能な方法は、前記第２の無線アクセスネットワーク機器から前記第１の無線アクセスネットワーク機器によって得られた前記制御情報が、第１の無線アクセスネットワーク機器によってカバーされない少なくとも１つの区域での前記第２の無線アクセスネットワーク機器によるローミング契約の制御を表す情報を含むことである。
【００６８】
１つの可能な方法は、前記第１の無線アクセスネットワーク機器が、前記無線アクセスネットワーク機器を接続するインターフェースを介して、前記第２の無線アクセスネットワーク機器から制御情報を得ることである。
【００６９】
別の可能な方法は、前記第１の無線アクセスネットワーク機器が、コアネットワークを介して前記第２の無線アクセスネットワーク機器から制御情報を得ることである。
【００７０】
１つの可能な方法は、前記第１および第２の無線アクセスネットワーク機器が同じネットワークの一部であることである。
【００７１】
別の可能な方法は、前記第１および第２の無線アクセスネットワーク機器が隣接するネットワークの一部であることである。
【００７２】
前記第２の無線アクセスネットワーク機器によるアクセス制御を表す前記情報は、有利には、ＵＭＴＳの場合の再配置手順またはＧＳＭ／ＧＥＲＡＮおよびＵＭＴＳ−ＧＳＭ網間接続の場合のハンドオーバ手順の状況で、前記第１の無線アクセスネットワーク機器によって得られる。
【００７３】
図３に、本発明の方法を実施することのできるシステムの一例を示す。
【００７４】
図３には、例を挙げると、
・  第１の公衆陸上移動網ＰＬＭＮ１に属するセル１Ａ、１Ｂ、１Ｃ、１Ｄ、および第２の公衆陸上移動網ＰＬＭＮ２に属するセル２Ａ、２Ｂ、２Ｃ、
・  この例では無線ネットワーク制御装置（ＲＮＣ）型の機器である無線アクセスネットワーク機器、例えば、セル１Ａを制御する無線ネットワーク制御装置ＲＮＣ１１、セル１Ｂを制御する無線ネットワーク制御装置ＲＮＣ１２、セル１Ｃおよび１Ｄを制御する無線ネットワーク制御装置ＲＮＣ１３、セル２Ａおよび２Ｂを制御する無線ネットワーク制御装置ＲＮＣ２１、セル２Ｃを制御する無線ネットワーク制御装置ＲＮＣ２２
・  コアネットワーク内の在圏所在地登録（ＶＬＲ）型機器、例えば、無線ネットワーク制御装置ＲＮＣ１１を制御する在圏所在地登録ＶＬＲ１１、無線ネットワーク制御装置ＲＮＣ１２およびＲＮＣ１３を制御する在圏所在地登録ＶＬＲ１２、および無線ネットワーク制御装置ＲＮＣ２１およびＲＮＣ２２を制御する在圏所在地登録ＶＬＲ２１
が示されている。
【００７５】
図３は、例を挙げると、無線アクセスネットワークによって制御される目標セル選択機構がセル１Ｄからなるサービスセルから実行され、目標セルは、セル１Ｃ、２Ａ、２Ｂを含むセル１Ｄに隣接するセルの中から選択される状況に関連する。この例では、サービスセル１Ｄを制御するサービスＲＮＣ（ＲＮＣ１３）は、その場合、セル１Ｃ、２Ａ、２Ｂのどれか１つへのアクセス権を制御するのに必要な制御情報を含む。
【００７６】
本発明によれば、この例では、無線ネットワーク制御装置ＲＮＣ１３は、在圏所在地登録ＶＬＲ１２から、
・  （セル１Ｃを含む）無線ネットワーク制御装置ＲＮＣ１３によってカバーされる区域でのローミング契約情報、および
・  任意選択で、無線ネットワーク制御装置ＲＮＣ１３によってカバーされないが、ＰＬＭＮ１がローミング契約を結んでいる隣接するＰＬＭＮ（ＰＬＭＮ２）に属する隣接するセルに相当するセル２Ａおよびセル２Ｂでのローミング契約情報
を得る。
【００７７】
別の可能な方法は、隣接するＰＬＭＮに具体的に属し得る（この例では無線ネットワーク制御装置ＲＮＣ２１などの）隣接するＲＮＣとのインターフェースＩｕｒがない場合で、再配置手順（またはサービスＲＮＣの変更、この例ではＲＮＣ１３からＲＮＣ２１への）、あるいはＲＮＣ間ハンドオーバ（この例では、ＲＮＣ１３からＲＮＣ２１への）を実行する機構の場合には、ＩＭＳＩ番号に基づいて目標ＲＮＣ（この例ではＲＮＣ２１）によって制御されるアクセス権を持つことおよび送信元ＲＮＣ（この例ではＲＮＣ１３）に目標ＲＮＣによるアクセス権制御を表す情報を送信することである。
【００７８】
当分野で知られているように、再配置手順は、以下のメッセージ交換を含む。
・  送信元ＲＮＣ（この例ではＲＮＣ１３）からＣＮに「必要とされる再配置」メッセージが送信され、
・  ＣＮから目標ＲＮＣ（この例ではＲＮＣ２１）を経てＣＮに「再配置要求」メッセージが送信され、
・  目標ＲＮＣ（この例ではＲＮＣ２１）からＣＮに「再配置要求受信通知」メッセージが送信され、
・  ＣＮから送信元ＲＮＣ（この例ではＲＮＣ１３）に「再配置コマンド」メッセージが送信される。
【００７９】
本発明は、目標ＲＮＣによるアクセス権制御を表す情報が、目標ＲＮＣからＣＮに送信される「再配置要求受信通知」メッセージと、ＣＮから送信元ＲＮＣに送信される「再配置コマンド」メッセージとに含まれるべきであると提案する。
【００８０】
さらに、無線ネットワーク制御装置ＲＮＣ１３がそのためのサービスＲＮＣの役割を有するはずのインターフェースＩｕｒを介したソフトハンドオーバまたはハードハンドオーバの場合、およびコアネットワークを介した再配置またはハンドオーバの場合では、無線ネットワーク制御装置ＲＮＣ１３は、無線ネットワーク制御装置ＲＮＣ１２から、ＲＮＣ１２、および該当する場合にはその隣接するＲＮＣによってカバーされる区域でのローミング契約情報を得るはずである。
【００８１】
さらに、無線ネットワーク制御装置ＲＮＣ１３がそのためのサービスＲＮＣの役割を有するはずのインターフェースＩｕｒを介したソフトハンドオーバまたはハードハンドオーバの場合、およびコアネットワークを介した再配置またはハンドオーバの場合では、無線ネットワーク制御装置ＲＮＣ１３は、無線ネットワーク制御装置ＲＮＣ１１から、ＲＮＣ１１、および該当する場合にはその隣接するＲＮＣによってカバーされる区域でのローミング契約情報を得るはずである。
【００８２】
同じ原理が、例として前述した無線ネットワーク制御装置ＲＮＣ１３以外の任意のＲＮＣにも適用され得る。
【００８３】
例えば、コアネットワークと無線ネットワーク制御装置の間、および２つの無線ネットワーク制御装置間でのローミング契約の転送を例に取ると、Ｉｕｒインターフェースを使用し、Ｉｕインターフェースを介して導入され得る、当分野で知られている「情報交換開始」手順および「情報報告」手順の機構を使用することが可能である。
【００８４】
当分野で知られているように、「情報交換開始」手順は、以下のメッセージ交換を含む。
・  無線ネットワーク制御装置、ＲＮＣ１１などから無線ネットワーク制御装置、ＲＮＣ１２などに「情報交換開始要求」メッセージが送信され、
・  応答として、無線ネットワーク制御装置ＲＮＣ１２から無線ネットワーク制御装置ＲＮＣ１１に「情報交換開始応答」メッセージが送信される。
【００８５】
当分野で知られている方式では、「情報報告」手順は、例えば、無線ネットワーク制御装置ＲＮＣ１２から無線ネットワーク制御装置ＲＮＣ１１に送信される「情報報告」メッセージを含む。
【００８６】
「情報交換開始」手順および「情報報告」手順は、例えば、以下の方式でＩｕインターフェースを介して適用され得る。
【００８７】
「情報交換開始」手順は、以下のメッセージ交換を含む。
・  ＲＮＣからコアネットワークノードに「情報交換開始要求」メッセージが送信され、
・  応答として、コアネットワークノードからＲＮＣに「情報交換開始応答」メッセージが送信される。
【００８８】
当分野で知られている方式では、「情報報告」手順は、コアネットワークからＲＮＣに送信される「情報報告」メッセージを含む。
【００８９】
図３に示す例は、より具体的には、ＵＭＴＳ（個々にはＧＥＲＡＮ）に対応し、その場合ＶＬＲとＲＮＣ（個々にはＢＳＣ）の間の交換はＩｕ（個々にはＡまたはＩｕ）インターフェースを介して実施され、ＲＮＣ間の交換はＩｕｒ（個々にはＩｕｇ）インターフェースを介して実施される。
【００９０】
もちろん、本発明は前述の例に限られるものではなく、本発明の範囲から逸脱しない他の例も、もちろん可能なはずである。さらに、図３は、単に、本発明による方法が実施され得るシステムの一例を、そうしたシステムでは一般的な原理を使用し得る伝送および信号送信方法またはプロトコルの詳細には立ち入らずに、図式的に示したものにすぎない。
【００９１】
前述のアクセス権制御方法に加えて、本発明は、さらに、すべて本発明による方法を実行するように構成された手段を含む移動無線システム、無線アクセスネットワーク機器、およびコアネットワーク機器にも存するものである。そうした手段は、前述の方法に従って動作することができ、その具体的実施形態は、当分野の技術者にとって特に難しいものではなく、そうした手段を、前述のようにその機能を記述する以上に詳細に本明細書で説明する必要はない。
【００９２】
本発明の利点には、具体的には、
・  ＶＬＲ中の経路指定表での変更が必要とされないこと、
・  ＶＬＲ間の調整が自動的に行われること、
・  ＰＬＭＮの任意のＶＬＲで変更が実施された場合には、ＵＴＲＡＮの更新が自動的に行われること、
・  新しいＲＮＣがＵＴＲＡＮに追加された場合には、無線ネットワークサブシステム（ＲＮＳ）表の更新が自動的に行われること、
・  ＣＮから転送されるデータ量が最小限に抑えられること、および
・  呼またはＵＥにリンクされたメッセージを介して半静止情報が転送されなくなること
が含まれる。
【図１】
2010074844.tif 000003
【図２】
2010074844.tif 000004
【図３】
2010074844.tif 000005